(57)【要約】【課題】ワークが微小であっても静電気の影響を受けない傾斜式選別機を提供する。【解決手段】球状物を下方へ転がり落とし、非球状物を上方へ振動搬送する搬送面１５ａを備えた傾斜板１５と、この傾斜板１５を振動させるための振動発生器１４とからなる傾斜式選別機であって、この傾斜式選別機は、搬送面１５ａが金属材質となっているとともに表面が凹凸形状となっている。そしてこの凹凸形状は、ブラスト加工により形成したものである。また前記搬送面の上方には、球状物と非球状物に向けてイオン化エアを送風するイオン化エア発生器３２が設けられている。【選択図】図２
2007222792.tif 000002
【特許請求の範囲】
【請求項１】
球状物を下方へ転がり落とし、非球状物を上方へ振動搬送する搬送面を備えた傾斜板と、この傾斜板を振動させるための振動発生器とからなる傾斜式選別機において、前記傾斜板の搬送面は金属材質となっているとともに表面が凹凸形状となっていることを特徴とした傾斜式選別機。
【請求項２】
前記凹凸形状は、ブラスト加工により形成することを特徴とした請求項１記載の傾斜式選別機。
【請求項３】
前記搬送面の上方には、前記球状物と前記非球状物に向けてイオン化エアを送風するイオン化エア発生器を設けたことを特徴とした請求項１記載の傾斜式選別機。
【発明の詳細な説明】
【技術分野】
【０００１】
本発明は、傾斜式選別機の改良に関するものである。
【背景技術】
【０００２】
バレル研磨は、ワークとチップ状の研磨石を共にバレル槽に装入し、バレル槽に回転や振動の運動エネルギーを与えてワークのバリ取りや光沢仕上を行う。研磨終了後、ワークと研磨石を選別するが、その選別方法には様々なものがある。例えば、研磨石とワークのサイズのいずれか一方が他方に比べて小さいものであれば、小さいほうを振るい落とす振動式網選別機が用いられる。ワークが磁気質であれば、その磁性を利用して振動式磁気選別機が用いられる。これらのいずれも用いることができないもの、例えば、両者がほぼ同サイズであれば、研磨石を球状物として傾斜式選別機を用いる。この傾斜式選別機について詳述すれば次のとおりである。
【０００３】
即ち、この装置は図１に示すように、傾斜した選別プレート１の下部にバイブレータ３を取り付けたもので、ホッパー４２より球状物Ｂと直方体物Ｍを投下し、振動する選別プレート１上で、球状物Ｂは転がってプレート下端の箱に入り、直方体物Ｍは上方に振動搬送されてプレート上端で待機する箱に入って両者が選別されるというものである。通常、この選別プレートには騒音防止やプレートの磨耗防止のために、ゴム板が貼着されている。しかしながら、直方体物Ｍが非常に小さくなると、静電気によって選別プレート面に貼り付いて振動搬送できなくなることがある。
【０００４】
そこで図１に示す特開平６−１９８２５１の装置では、選別プレート面１をアルミニウム製とし、陽極酸化処理によって選別プレート面１に多数の細孔を空け、選別対象物と選別プレート１との接触面積を減らして静電気の影響を回避するようにした。しかしながらこの装置は、多数の微細孔部分に腐食を生じることがある上、陽極酸化処理も製造コストの嵩むものであった。またこのような選別プレートでは、静電気の影響を十分に回避しきれなかった。
【０００５】
【特許文献１】特開平６−１９８２５１号公報
【発明の開示】
【発明が解決しようとする課題】
【０００６】
以上より本発明が解決しようとする課題は、ワークが微小であっても静電気の影響を受けない傾斜式選別機を提供することを目的とする。
【課題を解決するための手段】
【０００７】
上記課題を解決するために請求項１の発明は、球状物を下方へ転がり落とし、非球状物を上方へ振動搬送する搬送面を備えた傾斜板と、この傾斜板を振動させるための振動発生器とからなる傾斜式選別機において、前記傾斜板の搬送面は金属材質となっているとともに表面が凹凸形状となっていることを特徴としている。また請求項２の発明は、前記凹凸形状は、ブラスト加工により形成することを特徴としている。また請求項３の発明は、前記搬送面の上方には、前記球状物と前記非球状物に向けてイオン化エアを送風するイオン化エア発生器を設けたことを特徴としている。
【発明の効果】
【０００８】
請求項１の発明によれば、ワークが微小であっても、搬送面が金属材質で且つ凹凸形状になっているからワークが貼り付いて搬送不良を起こす問題が解消される。請求項２の発明によれば、ブラスト加工により搬送面の凹凸形状を簡単に形成でき、しかもワークサイズに応じて、ブラスト加工に用いる砥粒サイズを選定すれば、様々な粗さの凹凸形状を形成できる。請求項３の発明によれば、イオン化エア発生器より非球状物と球状物に向けてイオン化エアを送風すれば、除電効果が生じ、選別作業を一層効率的なものとすることができる。
【発明を実施するための最良の形態】
【０００９】
本発明に用いる傾斜式選別機を図２、３に沿って説明する。図２は、本発明の傾斜式選別機の正面図で、基台１１上にフレーム１２が固定され、このフレーム１２に防振ゴム１３を介して振動発生器１４が約５度傾斜して取り付けられている。この振動発生器１４の上部には、傾斜板１５が振動発生器１４と平行に取り付けられ、傾斜板１５には搬送方向に沿って側壁１６が両側に立設されている。傾斜板１５とその搬送面１５ａは、金属製であって、ここではアルミニウム製となっている。この搬送面１５ａには、ブラスト加工でアランダム粒度＃８０を噴射圧力０．４ＭＰａで噴射して表面を凹凸形状にしてある。ブラスト加工で使用する砥粒径は、＃６０〜＃１００の範囲のものが好ましい。＃６０より番手の小さいもの、つまり砥粒径の大きいものを用いると、搬送面が粗くなりすぎて歪んだ球状物が搬送面１５ａを上昇することがある。反対に＃１００より番手の大きいもの、つまり砥粒径の小さいものを用いると、繰り返しの使用で搬送面１５ａが摩滅し、所望の凹凸形状が破壊されるからである。
【００１０】
傾斜板１５の下端には、両側壁１６に、図３の平面視で円弧状の下端壁１７が接続され、排出口１８が形成されている。傾斜板１５を転がり落ちた球状物は、排出口１８から排出されるようになっている。一方、傾斜板１５の上端には、図３の平面視で、台形状の排出板１９が搬送方向に下り傾斜して取り付けられ、この排出板１９の周囲を上端壁２０が取り囲むようになっている。そして上端壁２０に接した排出板１９はコの字状に切り欠かれ、排出口２１が形成されている。傾斜板１５を振動搬送された非球状物は、排出口２１から排出されるようになっている。
【００１１】
両側壁１６には、第一選別板２２と、これよりも高い位置で搬送方向側に、第一選別板２２よりも広い面積を有する第二選別板２３が架設されている。第一選別板２２と第二選別板２３はともにステンレス製の平板で、搬送面１５ａと同様にブラスト加工でアランダム粒度＃８０を噴射圧力０．４ＭＰａで噴射して凹凸形状にしてある。これら第一選別板２２と第二選別板２３は、塊状となって投入されてくる球状物と非球状物を拡散させる役目をなす。側壁１６の外側には、アーム２５が、その長孔２５ａを介してボルト２６により両側壁１６に取り付けられている。アーム２５の上端には、軸を介して受板２４が取り付けられ、ボルト２６を緩めることによって、アーム２５が長孔２５ａに沿って摺動し、受板２４の角度調整が可能となっている。
【００１２】
また基台１１にはホッパー取付台２７が設けられ、ここに投入ホッパー２８が設けられている。投入ホッパー２８の下端は、波状の樋を有する投入フィーダー２９に臨んでおり、投入フィーダー２９は不図示のバイブレータによって振動するようになっている。つまり、投入ホッパー２８に投入された球状物と非球状物は、投入フィーダー２９に落下し、振動する投入フィーダー２９の波状樋を進行して受板２４に落下するようになっている。
【００１３】
また基台１１には支柱３０が立設され、この支柱３０から水平に取り付けられた水平桁３１に、イオン化エア発生器３２が取り付けられている。このイオン化エア発生器３２より、受板２４に落下する球状物と非球状物にイオン化エアを送風することによって静電気を除去する。図２で２点鎖線で示すように、イオン化エア発生器３２の取付角度を適宜調節して送風する。また傾斜板１５の排出口１８と排出口２１の下方には、それぞれ、球状物受取箱３３と非球状物受取箱３４が設置されている。
【００１４】
以上の構成の傾斜式選別機を作動する。振動発生器１４を起動し、投入ホッパー２８より球状物と非球状物を投入する。するとこれらは投入フィーダー２９に落下し、その波状樋に沿って搬送される。投入フィーダー２９から落下した球状物と非球状物は受板２４に落ちるときに、イオン化エア発生器３２からのエアを浴びて除電される。そして球状物と非球状物は、第二選別板２３に落ち、さらに勢い付いたものは第一選別板２２に飛び跳ね移行する。振動発生器１４からの振動を受けて、凹凸形状の第一選別板２２や第二選別板２３上で拡散されると共に、球状物は下方へ転がり落ち、非球状物は上方へ振動搬送される。この時点で、両者の粗選別が行なわれる。
【００１５】
その後、両選別板２２、２３より傾斜板１５に落下する。傾斜板１５では、粗選別された球状物と非球状物は、いずれも拡散された状態となっているので、球状物は下方に転がり落ち、非球状物は他のものに阻害されることなく上方に振動搬送される。この時、非球状物がいくら小さくても予め除電されているので静電気で搬送面１５ａに貼り付くことがない。仮に除電効果が不十分でも、搬送面が凹凸形状となっているので貼り付かない。最終的に球状物は排出口１８より出て球状物受取箱３３に入る。一方の非球状物は振動搬送されて排出口２１より落下し、非球状物受取箱３４に入る。このようにして両者の選別が完了するのである。
【００１６】
上記実施形態では傾斜板１５をアルミニウム製、第一選別板２２、第二選別板２３をステンレス製としたが、ステンレス製やアルミニウム製にこだわるものではなく、要するにその他の金属などの導電体であれば良い。また選別対象物に応じて、第一選別板２２や第二選別板２３に、受板２４のような角度調整機構を設けてを０度〜１０度の範囲で角度調整すると効果的である。
【図面の簡単な説明】
【００１７】
【図１】従来の傾斜選別機
【図２】本発明の傾斜選別機の正面図
【図３】同じく平面図
【符号の説明】
【００１８】
１４    振動発生器
１５    傾斜板
１５ａ  搬送面
３２    イオン化エア発生器
【図１】
2007222792.tif 000003
【図２】
2007222792.tif 000004
【図３】
2007222792.tif 000005